(57)【特許請求の範囲】
【請求項１】
横断面外周の径が端縁に近づくに従って小さくなる楕円回転面を側周壁とする太鼓状容器周面の加飾用の長尺のホログラム転写シートであって、
ホログラム転写シートは、転写時の転写シートの送り方向と同一の方向に一軸延伸された収縮フィルムを用いたベースフィルムと、離形層と、下面をホログラム形成面とし蒸着層を蒸着したホログラムフィルムと接着層とを積層した転写層とからなり、
ホログラムフィルムは、蒸着層を所望する絵柄模様として、該絵柄模様とベース色印刷部によって模様表示部が形成されており、該模様表示部は、転写時の長さを加飾する容器の側周壁周面の長さと等しくなるよう循環し連続する長尺の転写シートを形成していることを特徴とするホログラム転写シート。
【請求項２】
蒸着層に、厚盛印刷を施したことを特徴とする請求項１記載のホログラム転写シート。
【請求項３】
請求項１記載のホログラム転写シートの転写層を、側周壁周面に密着するように転写したことを特徴とする楕円回転面を側周壁とした太鼓状容器。
【発明の詳細な説明】
【技術分野】
【０００１】
本発明は、ホログラム転写シート、とくに平面曲線の回転面で形成された側周壁を有する容器表面の曲面に加飾を施すためのホログラム転写シートに関するものである。
【背景技術】
【０００２】
ホログラム転写シートを用いて二次元平面上にホログラフィ表示体を転写することは、従来より周知である。
また、三次曲面を有する被転写体に転写できる追従性に優れた転写用シートも従来より知られている（例えば特許文献１、特許文献２参照）。
しかしながら、従来の三次曲面は、平面上に凹凸部を有するものであって、とくに太鼓状の楕円回転面等で形成された容器の表面にホログラフィ表示体を転写することは実施されていない。
【０００３】
太鼓状の楕円回転面等で形成された側周壁では、転写シートを少なくとも巾方向で線接触させるために、側周壁の軸心を含む縦断切口にできる平面曲線を、側周壁の軸心に平行する軸を中心として、回転させることによって形成された回転面を外周面とした押圧ローラを用いて押圧しなければならない。
【０００４】
そのため、太鼓のような楕円面の場合、容器の横断面外周の径は、端縁に近ずくにしたがって小さくなり、転写シートを巻き付けたときに、端縁部では転写シートの接触長さが短くなり、しわがよるという問題があった。
そのため、平面曲線の回転面、或いは楕円回転面等の曲面に対しては平滑な転写面を得ることができないと考えられていた。
【先行技術文献】
【特許文献】
【０００５】
【特許文献１】特開平７−６０７９２号公報
【特許文献２】特開２０００−１２７６９３号公報
【発明の概要】
【発明が解決しようとする課題】
【０００６】
本発明は、上記の問題を解決することを課題とし、側周壁を平面曲線の回転面、または楕円回転面等で曲面を形成した容器表面に平滑な転写を行うために使用する転写シートであって、絵柄模様をホログラムで形成した高品質の加飾ができるホログラム転写シートを提供することを目的とする。
【課題を解決するための手段】
【０００７】
本発明は、上記の課題を解決するため、ホログラム転写シートとして、横断面外周の径が端縁に近づくに従って小さくなる楕円回転面を側周壁とする太鼓状容器周面の加飾用の長尺のホログラム転写シートであって、ホログラム転写シートは、転写時の転写シートの送り方向と同一の方向に一軸延伸された収縮フィルムを用いたベースフィルムと、離形層と、下面をホログラム形成面とし蒸着層を蒸着したホログラムフィルムと接着層とを積層した転写層とからなり、ホログラムフィルムは、蒸着層を所望する絵柄模様として、該絵柄模様とベース色印刷部によって模様表示部が形成されており、該模様表示部は、転写時の長さを加飾する容器の側周壁周面の長さと等しくなるよう循環し連続する長尺の転写シートを形成していることを特徴とする構成を採用する。
【０００８】
ホログラムフィルムの実施態様として、蒸着層に、厚盛印刷を施したことを特徴とする構成を採用する。
【０００９】
転写シートの被転写体として、ホログラム転写シートの転写層を、側周壁周面に密着するように転写したことを特徴とする楕円回転面を側周壁とした太鼓状容器とする。
【発明の効果】
【００１１】
本発明のホログラム転写シートは、ベースフィルムの収縮フィルムとして、転写時における転写シートの送り方向と同一に延伸したフィルムを用いているので、転写時の加熱により転写シートを曲面の表面に密着させ、ホログラム表示部を絵柄模様とした高品質の加飾が得られた。
【図面の簡単な説明】
【００１２】
【図１】本発明第１実施形態容器の説明図である。
【図２】転写シートの層構成説明図である。
【図３】転写シート製造のための主要な工程の説明図である。
【図４】転写方法の説明図である。
【図５】転写した転写層の説明図である。
【発明を実施するための形態】
【００１３】
次に、本発明の実施形態について、図面を参照して説明する。
まず始めに、本発明の転写シートの被転写体である容器Ａについて説明すると、図１に示すように、容器Ａは太鼓状の容器であって、楕円回転面を軸方向に直交する断面で切断して形成された側周壁１と、上下の切断面によって形成された開口部２と底板３とからなっている。
【００１４】
側周壁１周面には、絵柄模様４が転写され、加飾が施されている。
絵柄模様４として、図には花模様が例示されているが、花の部分５ａ、及び囲み部分５ｂはホログラムで形成され、その他の部分はベース色印刷部６となっている。
絵柄模様４は、容器側周壁１の円周を等間隔に分割した位置に転写されるように位置し、各絵柄模様４は、ベース色印刷部６によって接続され、上下にほぼ一定巾の模様表示部ａが形成されている。
【００１５】
模様表示部ａの模様は、転写シートＢの全長を通じて連続した模様となっており、容器側周壁１表面に転写した時には、転写始端部の模様は、転写終端部の模様と重なるとともに、終端部のベース色印刷部６に被われることになり、側周壁１表面には連続した模様が表示されることになる。
【００１６】
絵柄模様４は、花模様に限定されるわけではなく、ホログラム表示部分とベース色印刷部で形成される絵柄模様であればよい。
また、側周壁１の全周面がホログラムで形成されたものでもよい。
【００１７】
次に、本発明転写シートＢの層構成と製造工程について、図２，３を参照して説明する。
図２に示すように、転写シートＢは、一軸延伸された収縮フィルム１０、ベースフィルム１１と離形層１２、下面をホログラム形成面としたホログラムフィルム１３と該ホログラムフィルム１３の下面に蒸着され絵柄模様４を形成する蒸着層１４、厚盛印刷層１５、およびベース色印刷層１６、接着層１７が順次積層され構成されている。
そして、ホログラムフィルム１３から接着層１７までの積層体によって転写層Ｂ１が構成される。
【００１８】
収縮フィルム１０は、ＰＥＴを素材樹脂とした一軸延伸された収縮フィルムであって、その延伸方向は転写シートＢとしたときに、その送り方向と同一の方向に延伸されたものを用いる。
延伸は、一軸延伸を基本とするが、容器Ａ側周壁１の横断面周面の曲率等に応じて一定割合の延伸を加えたものであってもよい。
【００１９】
ベースフィルム１１は、耐熱性のＰＥＴの延伸フィルムが用いられ、該ベースフィルム１１の表面（図では下面）には、通常用いられる易剥離性樹脂を塗布することによって、離形層１２が形成される。
離形層１２の表面（図では下面）には、耐熱性樹脂が積層され、その下面にエンボス加工によって干渉縞を形成する凹凸１３ａが付されて、ホログラム形成面が形成されたホログラムフィルム１３が積層される。
次いで、収縮フィルム１０がベースフィルム１１の上面に接着剤を塗布して積層され、図３（ａ）に示すような積層体を得ることになる。
【００２０】
次に、図３（ｂ）に示すように、ホログラムフィルム１３の表面（図では下面）には、アルミ、或いはその他の金属が蒸着され、蒸着層１４が形成される。
蒸着層１４の表面（図では下面）に、所望する模様に応じてマスク印刷を施し、露出された蒸着層１４を溶剤で解かすと、図３（ｃ）に示すように、蒸着層１４を所望する模様に形成したホログラムフィルム１３が得られる。
【００２１】
次いで、図３（ｄ）に示すように、蒸着層１４に厚盛印刷を施し、所望する模様とした蒸着層１４を盛り上げる厚盛印刷層１５を形成させ、該厚盛印刷層１５と残余のホログラムフィルム１３表面全体にベース色印刷を施し、ベース色印刷層１６を形成させる。
最後に、ベース色印刷層１６の表面に接着剤を塗布し、接着層１７を形成させると、図２に示す転写シートＢができあがる。  
【００２２】
上記転写シートＢでは、蒸着層１４を所望する模様を残して溶剤で解かして、残された蒸着層１４に厚盛印刷し、ベース色印刷を施したが、図３（ｂ）に示すように、ホログラムフィルム１３全面の蒸着層１４を残して、その表面に保護樹脂を塗布し、その上に接着層１７を積層すれば、シート全面にわたってホログラムを形成したホログラム転写シートを得ることができる。
また、上記工程では、蒸着層１４に厚盛印刷を施し、所望する模様を盛り上げるようにしたが、厚盛印刷をしないで、平坦なホログラムとベース色印刷層とからなる絵柄模様としてもよい。
【００２３】
次に、上記転写シートＢを用いた容器Ａへの転写方法について説明する。
図４は、転写装置の要部を示す図であって、２０は弾性押圧ローラ、２１は熱風加熱装置である。
また、転写シートＢは、図に示すように長尺のものである。
弾性押圧ローラ２０は、容器Ａの側周壁１の表面に線接触するように容器Ａの側周壁１の軸心を含む縦切断面に現れる平面曲線の回転面を外周面としており、弾性体によって形成されている。
【００２４】
転写装置は、容器保持装置、転写シートＢの案内ローラ、引っ張りローラ等（図示しない）を具えている。
容器保持装置は、容器Ａをその軸心を中心に廻動可能に保持している。
【００２５】
転写シートＢは、容器Ａの側周壁１と弾性押圧ローラ２０の間で支持され、引っ張りローラによって容器Ａへの転写毎に間欠的に送られるようになっている。
転写にあたっては、案内ローラを介して転写シートＢの全巾が容器Ａの側周壁１表面に接するように送られ、弾性押圧ローラ２０によって一定圧で転写シートＢを容器Ａの側周壁表面に押圧される。
【００２６】
押圧前に、熱風加熱装置２１によって、熱風が吹き付けられ、収縮フィルム１０が容器側周壁１表面の形状に収縮変形するとともに、転写層Ｂ１を同形状に変形させ、接着層１７を側周壁１表面に接着させる。
【００２７】
次いで、弾性押圧ローラ２０の押圧によって、接着層１７を介して転写層Ｂ１を容器側周壁１表面に接着させるとともに、ベースフィルム１１と離形層１２は転写層Ｂ１から剥離され、引っ張りローラで送られる。
そして、絵柄模様４の一部をホログラムで表示した模様が、側周壁１の曲面表面に平滑な面として転写される。
【００２８】
次に、転写された加飾について説明すると、軸方向に湾曲した側周壁の表面に所望する絵柄模様がホログラムによって鮮明な光沢をもって表示され、さらに、厚盛印刷を施した場合には、図５に示すように、ベース色印刷層より盛り上がって見えるので、従来にない加飾効果を得ることができる。
【産業上の利用可能性】
【００２９】
本発明の転写シートは、転写時の送り方向と同一方向に延伸した収縮フィルムを用いてベースフィルムとしているので、太鼓状の回転曲面を始め、種々な二次曲線の回転面を側周壁とした被転写体を加飾する転写シートとして広く利用することができる。
【符号の説明】
【００３０】
Ａ          容器
Ｂ          転写シート
Ｂ１        転写層
１          側周壁
２          開口部
３          底板
４          絵柄模様
５ａ        花の部分
５ｂ        囲み部分
６          ベース色印刷部
ａ          模様表示部
１０        収縮フィルム
１１        ベースフィルム
１２        離形層
１３        ホログラムフィルム
１３ａ      凹凸
１４        蒸着層
１５        厚盛印刷層
１６        ベース色印刷層
１７        接着層
２０        弾性押圧ローラ
２１        熱風加熱装置
【図１】
0005182707.tif 000002
【図２】
0005182707.tif 000003
【図３】
0005182707.tif 000004
【図４】
0005182707.tif 000005
【図５】
0005182707.tif 000006